(57)【特許請求の範囲】
【請求項１】
バックルに棒状体を有する肩ベルト取り付け具を備え上記棒状体を外側から、弾性力で挟み込んで挟持するホルダーを有した連結具に肩ベルトを取り付けると共に、上記連結具がバックルに対して抵抗を有しながら回動できるように構成することを特徴とする肩ベルト取り付け装置。
【発明の詳細な説明】
【技術分野】
【０００１】
本発明は、ランドセルの肩ベルト取り付け装置に関するものである。
【背景技術】
【０００２】
従来のランドセルの肩ベルトはランドセル本体にさまざまな形態で取り付けられている。特許文献１の図１０において肩ベルトは金属製の三角形の環状体に取り付けられ自由に回動可能となっているとともに背負いやすさの観点から肩ベルトはランドセル本体に対して垂直上方に向けて固定できるようになっている。しかしながらこの構造は背負いやすい半面、学校のロッカーなどに収納する場合に肩ベルトが垂直に立っているためランドセルの背中側に密着させて折りたためないために収納が困難で、それを繰り返すことで肩ベルトが破損してしまう問題も発生している。
【先行技術文献】
【特許文献】
【０００３】
【特許文献１】特許第３７６３１２９号公報
【発明の概要】
【発明が解決しようとする課題】
【０００４】
本発明はランドセルを背負ったりする場合は肩ベルトを上方に向けて立てた状態を保持し背負いやすく、ランドセルを運んだり収納する場合は下方に向いた状態を保持しランドセルがコンパクトになるように肩ベルトが作動し、従来に比べ背負い心地と収納性の両立が図れるランドセルの肩ベルト取り付け装置を提供するものである
【課題を解決するための手段】
【０００５】
バックル部分に棒状体を有する肩ベルト取り付け具を備え上記棒状体を外側から、弾性力で挟み込んで挟持するホルダーを有した連結具に肩ベルトを取り付けると共に、上記連結具がバックルに対して抵抗を有しながら回動するように構成した。
【発明の効果】
【０００６】
本発明によりランドセルを背負うときには背負いやすいようにランドセルに対して上方に立てた状態で使用し、それ以外にランドセルのハンドルを持て移動したり、ランドセルを収納するときは、ランドセルに対して肩ベルトは下方に向き背板面に沿うようにコンパクトに収まり肩ベルトを邪魔にならないようにすることができる。
【図面の簡単な説明】
【０００７】
【図１】肩ベルト取り付け装置全体斜視図
【図２】肩ベルト上向き状態側面図
【図３】肩ベルト下向き状態側面図
【図４】バックル部組み付け図
【図５】バックル機能部断面斜視図
【図６】バックル固定位置断面図
【図７】バックル可動位置断面図
【図８】バックル部組み付け図
【図９】バックル部組み付け図
【図１０】バックル機能部断面斜視図
【図１１】バックル部組み付け図
【図１２】バックル機能部断面斜視図
【発明を実施するための形態】
【０００８】
以下本発明の実施形態について説明する。肩ベルト取り付け具２をランドセル本体１に取り付けてバックル２０に取り付けた肩ベルト３を上方に向けて立たせた状態が図１である。肩ベルト３はバックル２０の軸を中心に回動するが、本発明により設定した角度でクリック動作することが可能である。尚ここで述べるクリック動作とはバックルに対し肩ベルトが、複数の角度で安定して保持され一定トルク以上の回転力を与えるまではその角度を維持することを示す。
【０００９】
上記のクリック動作角度は自由に設定可能であるが、まずは背負い心地を良くするために肩ベルト３を上方に立たせた状態、図２の角度とランドセルを収納する際にコンパクトになるように肩ベルト３がランドセル１に密着するように下方にたたんだ状態、図３の２つの角度にクリック動作させた機構の説明を以下にする。
【００１０】
クリック動作させるための構造としてバックル２０と肩ベルト３の連結部分について説明したのが図４である。バックル２０に連結具１０を取り付け、その外側に押さえばね３０を取り付け連結具１０を通してバックル２０を挟み込んで挟持する。そのあとに肩ベルト３を上記連結具１０を包み込むようにバックル２０の穴に通してリベット４とリベット受け５を使用して肩ベルト３と連結具１０を一体に取り付ける。
【００１１】
上記バックル２０と連結具１０について詳しく断面を使って説明する。図５は肩ベルト３をはずした状態である。バックル２０は図８に示すように両脇が円柱体２２で中央部は断面が両側に平面有する棒状体２１となっている。連結具１０には上記棒状体に取りつく部分を有している。バックル２０の両脇の円柱体２２には連結具１０の外れ止ホルダー１２、バックル２０の中央の平面を両側に有する棒状体２１には連結部１０のホルダー１１が取りつく。ホルダー１１自体も棒状体２１を挟み込んで挟持しているが、さらに外側から押さえばね３０によって常に棒状体２１を挟み込んで挟持している。連結具１０には肩ベルトを縫い付けるための薄肉部１３やカシメを取り付けるための穴１４を設けていると良い。
【００１２】
次に肩ベルトが設定した角度で保持する機構について断面図６と図７を使って説明する。図６は保持の状態を示しており、ある一定のトルクを加えないと回動しない状態である。中心部はバックル２０の断面形状が平面を両側に有する棒状体２１が有り、その外側にホルダー１１を設けさらにホルダーを挟持するように押さえばね３０が取り付けてある。図６の状態から肩ベルト３の角度を変えようとするとホルダー１１が棒状体２１に対して回転を始めるので押さえばね３０の挟持に逆らって幅を広げるためには一定以上の回転のトルクが必要となり、一定以上のトルクが加わると肩ベルトは回動を始める。図7は肩ベルトが上方向から下方向に向く過程である。広がった押さえばね３０は肩ベルトが下方向まで回転すると再び狭まりその角度を保持する状態となる。押さえばね３０は作動中外れないようにミゾ１５に曲げ部３１が係合している。また図５に示すバックル２０の両脇の円柱体２２には連結具１０の外れ止ホルダー１２が係合しているため、ホルダー１１が回動中に開いた状態で肩ベルトを引っ張っても外れ止ホルダー１２が円柱体２２をホールドして外側の肩ベルト３により外れることはない。
【００１３】
次に上記バックル２０を使用し同じ機能を得られる別の構造を図８を用いて説明する。上記連結具１０を使用する代わりにスペーサー４０を使用し凹部４１に板ばね５０を合わせ押さえ部５１が互いに棒状体２１を挟み込んで挟持するようにセットし肩ベルトで包み込みリベット４とリベット受け５にて取り付ける。薄肉部４２はリベット取り付け後縫製にてスペーサー４０に取り付けるためのものである。この構造の場合も板ばね５０の板厚とスペーサーに取り付けた場合の両側の押さえ部の間の寸法による反発力と棒状体２１の両側平面間の距離と直径の寸法の差の２つによってクリック動作のトルクが設定される。
【００１４】
次はクリック動作ではなく無段階に一定のトルクを有しながら肩ベルトが回動する構造としてバックル７０と肩ベルト３の連結部分について説明したのが図９である。バックル７０の棒状体７１を挟み込むように連結具６０を取り付け、取り付け後連結具６０の外側に押さえばね３０を取り付けることで棒状体７１を挟み込んで挟持する。そのあとに肩ベルト３を上記連結具６０を包み込むようにバックル７０の穴に通してリベット４とリベット受け５を使用して肩ベルト３と連結具６０を一体に取り付ける。
【００１５】
上記バックル７０と連結具６０について詳しく断面を使って説明する。図１０は肩ベルト３をはずした状態である。バックル７０には円柱状の棒状体７１を備えている。連結具６０には上記棒状体に取りつく部分摩擦面６１を有している。バックル７０の円柱状の棒状体７１には連結部６０のホルダー６４が取りついており。ホルダー６４には外側から押さえばね３０によって常に棒状体７１を挟み込んで挟持しており、そのために摩擦面６１と棒状体７１は回動時にある程度の抵抗を伴って回動する。連結具６０には肩ベルトを縫い付けるための薄肉部６３やカシメを取り付けるための穴６２を設けていると良い。
【００１６】
またクリック動作が得られる別の構造で多段階のクリック動作をさせるための構造としてバックル９０と肩ベルト３の連結部分について説明したのが図１１である。バックル９０の多角形の棒状部９１に連結具８０のＪ字ホルダー８４を取り付け、その外側に押さえばね３０を取り付け連結具８０を通してバックル９０を挟み込んで挟持する。そのあとに肩ベルト３を上記連結具８０を包み込むようにバックル２０の穴に通してリベット４とリベット受け５を使用して肩ベルト３と連結具８０を一体に取り付ける。
【００１７】
上記バックル９０と連結具８０について詳しく断面を使って説明する。図１２は肩ベルト３をはずした状態である。バックル９０は断面が８角形の棒状体９１となっている。連結具８０には上記棒状体に取りつくＪ字ホルダー８４の内側には棒状体９１と同一断面形状の８角形の摩擦面８１を有している。Ｊ字ホルダー８４には外側から押さえばね３０によって常に棒状体９１を挟み込んで挟持しており、そのために摩擦面８１と棒状体９１は回動時にある程度の抵抗を伴ってクリック感を有した回動をする。連結具８０には肩ベルトを縫い付けるための薄肉部８３やカシメを取り付けるための穴８２を設けていると良い。
【００１８】
バックル２０に設けてある棒状体２１の断面は上記説明では円の両側に平行した２面の平面を有した形状で有り、バックル９０の棒状体９１の断面は８角形の多面体であり、バックル７０の棒状体７１の断面は真円形状で説明したが、棒状体の断面と連結具の接する面の断面形状により、クリック動作する角度が設定可能であり、また円柱で有れば無段階で一定トルクを有した回動が得られる。またその時の作動トルクは押さえばねのばね力によっても調整可能である。また、肩ベルトの回動特性は棒状体の断面形状によって変わるが、ホルダーを有する連結具の形状は取り付け方などによってどの組み合わせでも良い。
【００１９】
上記の構造では、長期間において安定したクリック動作を得られるため弾性のある金属製のばね材を使用したが、金属製でなくても他の弾性素材を用いても良く、コスト低減のためにばね部材を省略してもよい。
【符号の説明】
【００２０】
１・ランドセル本体、２・肩ベルト取り付け具、３・肩ベルト、４・リベット、５・リベット受け、１０・連結具、１１・ホルダー、１２・外れ防止ホルダー、１３・薄肉部、１４・穴、１５・ミゾ、２０・バックル、２１・棒状体、２２・円柱体、３０・押さえばね、３１・曲げ部、４０・スペーサー、４１・凹部、４２・薄肉部、５０・板ばね、５１・押さえ部、６０・連結具、６１・摩擦面、６２・穴、６３・薄肉部、６４・ホルダー、７０・バックル、７１・棒状体、８０・連結具、８１・摩擦面、８２・穴、８３・薄肉部、８４・Ｊ字ホルダー、９０・バックル、９１・棒状体
【要約】      （修正有）【課題】ランドセルを背負うときには背負いやすいようにランドセルに対して上方に立てた状態で使用でき、それ以外のランドセルのハンドルを持った移動やランドセルを収納するときは、ランドセルに対して肩ベルトは下方に向き背板面に沿うようにコンパクトに収まり肩ベルトを邪魔にならないような、背負いやすさと収納性の両立を実現させたベルト取り付け装置を提供する。【解決手段】バックル２０部分に棒状体を有する肩ベルト取り付け具２を備え上記棒状体を外側から、弾性力で挟み込んで挟持するホルダーを有した連結具に肩ベルトを取り付けると共に、上記連結具がバックルに対して抵抗を有しながら回動するように構成した。【選択図】図１【図１】
0005919470.tif 000002
【図２】
0005919470.tif 000003
【図３】
0005919470.tif 000004
【図４】
0005919470.tif 000005
【図５】
0005919470.tif 000006
【図６】
0005919470.tif 000007
【図７】
0005919470.tif 000008
【図８】
0005919470.tif 000009
【図９】
0005919470.tif 000010
【図１０】
0005919470.tif 000011
【図１１】
0005919470.tif 000012
【図１２】
0005919470.tif 000013